(57)【特許請求の範囲】
【請求項１】
半導体素子と、前記半導体素子が接続された導電体と、前記導電体に絶縁層を介して配置されたベース板と、前記導電体に接続された柱状の外部端子接続部材と、を備えた電力用半導体装置であって、
前記導電体は、前記絶縁層と逆側の面に前記外部端子接続部材を所定の許容範囲内に位置決めする配置部を有し、
前記導電体の配置部は窪みを有し、
前記外部端子接続部材は、前記配置部の前記窪みに搭載され、
前記導電体は、前記窪みから延伸したスリットを有することを特徴とする電力用半導体装置。
【請求項２】
半導体素子と、前記半導体素子が接続された導電体と、前記導電体に絶縁層を介して配置されたベース板と、前記導電体に接続された柱状の外部端子接続部材と、を備えた電力用半導体装置であって、
前記導電体は、前記絶縁層と逆側の面に前記外部端子接続部材を所定の許容範囲内に位置決めする配置部を有し、
前記導電体の配置部は突起部を有し、
前記導電体は、前記突起部の外周に突出部を有し、
前記外部端子接続部材は、長軸方向の一端側に孔を有し、
前記外部端子接続部材は、前記孔が前記突起部に挿入されるように前記導電体の前記配置部に搭載されたことを特徴とする電力用半導体装置。
【請求項３】
半導体素子と、前記半導体素子が接続された導電体と、前記導電体に絶縁層を介して配置されたベース板と、前記導電体に接続された柱状の外部端子接続部材と、を備えた電力用半導体装置であって、
前記導電体は、前記絶縁層と逆側の面に前記外部端子接続部材を所定の許容範囲内に位置決めする配置部を有し、
前記外部端子接続部材は、長軸方向の一端側に孔を有し、
前記導電体の配置部は環状溝を有し、
前記導電体の環状溝は、外周側及び内周側にテーパーが形成されたテーパー溝であり、
前記外部端子接続部材は、外壁と前記孔の内面により形成された外周壁部が前記配置部の前記環状溝に搭載され、かつ、前記環状溝に搭載される側の前記外周壁部にテーパー部が設けられたことを特徴とする電力用半導体装置。
【請求項４】
前記外部端子接続部材は、長軸方向の前記導電体に接続されない側に孔を有することを特徴とする請求項１記載の電力用半導体装置。
【請求項５】
前記外部端子接続部材は、長軸方向の両側に孔を有することを特徴とする請求項１乃至３のいずれか１項に記載の電力用半導体装置。
【請求項６】
前記外部端子接続部材は、長軸方向に貫通した孔を有することを特徴とする請求項１乃至３のいずれか１項に記載の電力用半導体装置。
【請求項７】
前記外部端子接続部材は、前記孔のうち外部端子が挿入される孔の内面に、錫、金、あるいはニッケルの層が形成されたことを特徴とする請求項４乃至６のいずれか１項に記載の電力用半導体装置。
【請求項８】
前記外部端子接続部材は、銅あるいは銅を含む材料にて構成されたことを特徴とする請求項１乃至７のいずれか１項に記載の電力用半導体装置。
【請求項９】
前記外部端子接続部材は、外形が円柱形状であり、
前記半導体素子と、前記導電体と、前記ベース板と、前記外部端子接続部材は、モールド樹脂で封止されたことを特徴とする請求項１乃至８のいずれか１項に記載の電力用半導体装置。
【請求項１０】
前記半導体素子は、ワイドバンドギャップ半導体材料により形成されていることを特徴とする請求項１乃至９のいずれか１項に記載の半導体装置。
【請求項１１】
前記ワイドバンドギャップ半導体材料は、炭化珪素、窒化ガリウム系材料、またはダイヤモンドのうちのいずれかであることを特徴とする請求項１０記載の半導体装置。
【発明の詳細な説明】
【技術分野】
【０００１】
本発明は、電力用半導体装置に関するものである。
【背景技術】
【０００２】
半導体装置の中には、比較的大きな電力を扱う電力用の半導体装置がある。このような電力用に用いられる半導体装置では、鉄道車両、ハイブリッドカー、電気自動車等の車両、家電機器、産業用機械等において、比較的大きな電力を制御、整流するために利用されている。したがって電力用の半導体装置で使用される半導体素子は１００Ａ／ｃｍ２を超える高い電流密度で通電することが求められる。そのため、近年はシリコン（Ｓｉ）に代わる半導体材料としてワイドバンドギャップ半導体材料である炭化珪素（ＳｉＣ）が注目されており、ＳｉＣからなる半導体素子は５００Ａ／ｃｍ２を超える電流密度での動作が可能である。また、ＳｉＣは１５０℃〜３００℃の高温状態でも安定動作が可能であり、高電流密度動作と高温動作の両立が可能な半導体材料として期待されている。
【０００３】
このように大電流を扱う電力用の半導体装置においては、電気的な絶縁を確保しながら、半導体素子等から発生する熱をいかに放熱するかが重要であり、小電流の半導体装置に比べて大型化している。大電流を扱う電力用の半導体装置を小型化したしたいという要求がある。
【０００４】
特許文献１には、複数のパワー半導体チップを回路キャリアに搭載したパワー半導体モジュールが記載されている。パワー半導体チップは回路キャリアに形成された金属層に搭載され、パワー半導体チップと外部の回路基板との接続には、接触要素及び接触ピンを用いている。接触要素は金属層に半田付けされ、接触ピンは一端が接触要素の管に差し込まれ、接触ピンの他端は回路基板のスルーホールに挿入される。接触要素は管の上端部及び下端部にへりを有し、へりには互いに隙間のある２個以上の梁を設ける。接触要素のへりと金属層との間には、２個以上の梁により自由空間が形成され、この自由空間に半田を流し込むことで、接触要素と金属層との接続を高信頼で強固にしようとしていた。
【先行技術文献】
【特許文献】
【０００５】
【特許文献１】ＵＳ ２００９／０１９４８８４Ａ１号公報（００２４段、００２５段、００３５段、００４１段、図１、図６、図１３）
【発明の概要】
【発明が解決しようとする課題】
【０００６】
しかしながら、特許文献１に示された接触要素は、複雑な形状のへりを設けることで、接触要素と金属層との接続を高信頼で強固にすることはできるものの、接触要素の加工が複雑で、高コストになっていた。また、接触要素と金属層との半田付けの際に、溶融した半田が接触要素を引っ張ることで、接触要素を精度よく所定の位置に固定するこができない場合がある。
【０００７】
本発明は、複雑な形状のへりを設けることなく外部端子接続部材を半導体素子に接続された導電体に高い位置精度で接続でき、電力用半導体装置の上面から外部端子接続部材に外部端子を接続できる小型の電力用半導体装置を得ることを目的とする。
【課題を解決するための手段】
【０００８】
本発明の電力用半導体装置は、半導体素子と、半導体素子が接続された導電体と、導電体に絶縁層を介して配置されたベース板と、導電体に接続された柱状の外部端子接続部材と、を備える。導電体は、絶縁層と逆側の面に外部端子接続部材を所定の許容範囲内に位置決めする配置部を有し、導電体の配置部は窪みを有し、外部端子接続部材は、配置部の窪みに搭載され、導電体は、窪みから延伸したスリットを有することを特徴とする。
【発明の効果】
【０００９】
本発明の電力用半導体装置によれば、導電体は、絶縁層と逆側の面に外部端子接続部材を所定の許容範囲内に位置決めする配置部を有し、外部端子接続部材は、配置部に搭載されたので、複雑な形状のへりを設けることなく外部端子接続部材を半導体素子に接続された導電体に高い位置精度で接続でき、外部端子を電力用半導体装置の上面から接続でき、電力用半導体装置を小型にすることができる。
【図面の簡単な説明】
【００１０】
【図１】本発明の実施の形態１による電力用半導体装置の断面図である。
【図２】実施の形態１による電力用半導体装置の斜視図である。
【図３】実施の形態１による外部端子接続部材の斜視図である。
【図４】図１の導電体における外部端子接続部材の配置部の上面図である。
【図５】図１の導電体における外部端子接続部材の配置部の断面図である。
【図６】実施の形態１による外部端子の斜視図である。
【図７】実施の形態１による外部端子接続部材の配置部の加工例を説明する図である。
【図８】実施の形態１による他の外部端子接続部材の配置部の上面図である。
【図９】本発明の実施の形態２による電力用半導体装置の断面図である。
【図１０】実施の形態２による外部端子接続部材の斜視図である。
【図１１】図１０の外部端子接続部材の断面図である。
【図１２】実施の形態２による外部端子の正面図及び側面図である。
【図１３】実施の形態２による他の外部端子の正面図及び側面図である。
【図１４】実施の形態２による更に他の外部端子の斜視図である。
【図１５】本発明の実施の形態３による電力用半導体装置の断面図である。
【図１６】図１５の導電体における外部端子接続部材の配置部の断面図である。
【図１７】図１５の導電体における他の外部端子接続部材の配置部の断面図である。
【図１８】本発明の実施の形態４による絶縁基板の断面図である。
【図１９】図１８の外部端子接続部材の配置部の断面拡大図である。
【図２０】実施の形態４による外部端子接続部材の半田付け前の図である。
【図２１】実施の形態４による外部端子接続部材の半田付け後の図である。
【図２２】実施の形態４による他の外部端子接続部材の配置部の断面拡大図である。
【図２３】図２２の配置部における外部端子接続部材の半田付け前の図である。
【発明を実施するための形態】
【００１１】
実施の形態１．
図１は本発明の実施の形態１による電力用半導体装置の断面図であり、図２は実施の形態１による電力用半導体装置の斜視図である。図３は実施の形態１による外部端子接続部材の斜視図であり、図４は図１の導電体における外部端子接続部材の配置部の上面図である。図５は図１の導電体における外部端子接続部材の配置部の断面図であり、図６は実施の形態１による外部端子の斜視図である。電力用半導体装置１は、トランスファーモールドと呼ばれるモールド樹脂１１により封止されたトランスファーモールド型電力用半導体装置である。電力用半導体装置１は、ベース板２５上に絶縁層２４を設け、その上に導電性の導電体１３が形成されている放熱性の高い絶縁基板２３を備える。導電体１３上には、ＩＧＢＴ(Insulated Gate Bipolar Transistor)である半導体素子１４とＦｗＤｉ(Free Wheeling Diode)である半導体素子１５がはんだ付けされている。そして、半導体素子１４と半導体素子１５との間、あるいは半導体素子１４、１５と導電体１３との間は、直径１００〜５００μｍ程度のアルミニュウム（Ａｌ）あるいは銅（Ｃｕ）のワイヤ２０にてワイヤボンドされている。
【００１２】
絶縁基板２３の導電体１３上に外部端子接続部材１６を配置する。この外部端子接続部材１６は、外部からの制御信号を受け取ったり、大電流を流したりするため、すなわち、外部と接続するために用いられる。モールド封止後の電力用半導体装置１から露出した外部端子接続部材１６の端部には、図６に示すような銅あるいは銅系の合金からなるＬ字型の外部端子２１が接続される。外部端子２１の一端は、プリント基板等のスルーホールへ挿入され、半田にて接続される。スルーホールの寸法は、外部端子２１の一端よりも大きく設計され、半田にて接続されるため、外部端子２１と外部端子接続部材１６との間に位置ずれがあったとしても、その位置ずれはスルーホールにより容易に吸収できる。
【００１３】
外部端子接続部材１６の詳細については、図３を用いて説明する。外部端子接続部材１６は、例えば直径２〜３ｍｍ、高さ５ｍｍの円柱からなり、材料は純銅あるいは銅系の合金からなる。また外部端子接続部材１６は半田を用いて導電体１３に接続される。円柱形状である理由は、左右対称であり方向を問わないため、製造が容易であることである。また、モールド後の温度サイクルなどにより応力が生じるが、円柱形状によりモールド樹脂１１と外部端子接続部材１６との界面の応力集中箇所を低減することが可能である。外部端子接続部材１６を純銅あるいは銅系の合金で構成することにより、外部端子接続部材１６を安価で高熱伝導率にすることができる。高熱伝導率な外部端子接続部材１６を用いることで、電力用半導体装置１の放熱性を高めることができる。
【００１４】
絶縁基板２３の導電体１３について、図１、図４及び図５を用いて説明する。導電体１３は銅あるいは銅系の合金からなり、厚さは０．５ｍｍである。それぞれの導電体１３の形状は、エッチング加工により形成される。そして、導電体１３における外部端子接続部材１６の搭載する配置部には、外部端子接続部材１６の外径よりも０．０５ｍｍ大きい外径の窪み１７が形成されている。配置部は外部端子接続部材１６を所定の許容範囲内に位置決めするものである。窪み１７の深さは０．２ｍｍである。そして、窪み１７内に、ディスペンサを用いて、ペースト半田が塗布される。その後、外部端子接続部材１６が窪み１７に搭載される。その後、リフロー炉などの加熱設備を用いて、絶縁基板を加熱し外部端子接続部材１６と基板上のパターンとが半田付けされる。
【００１５】
上記のように、導電体１３の窪み１７に円柱状の外部端子接続部材１６を配置する構成とした理由を示す。外部端子接続部材１６に接続される外部端子２１とプリント基板側との接続において、高精度な位置合わせが要求される場合がある。半田溶融時に、半田は外部端子接続部材１６に対して濡れ力を作用させる。ここで、濡れ力は、半田が外部端子接続部材１６へと濡れた際に、半田が外部端子接続部材１６を引っ張る力である。そのため、特別な工夫がない場合には、半田付け前の外部端子接続部材１６の搭載位置と半田付け後の外部端子接続部材１６の搭載位置は、百〜数百μｍ程度のずれを生じる場合がある。しかしながら、実施の形態１の構造では、導電体１３上に外部端子接続部材１６を許容範囲内に位置決めするための窪み１７が形成されている。この外部端子接続部材１６を許容範囲内に位置決めするための窪み１７は、エッチングにより形成するので、高精度な加工が可能である。そのため、半田溶融時や半田凝固時などにおいて、外部端子接続部材１６に対して濡れ力が作用しても外部端子接続部材１６が動く範囲は窪み１７内であるため、外部端子接続部材１６が動くのは±５０μｍ範囲内となり、外部端子接続部材１６の搭載位置を高精度化することができる。つまり、半田溶融時や半田凝固時の濡れ力により外部端子接続部材１６が窪み１７の内壁に接触することにより、窪み１７の内壁が外部端子接続部材１６の変位範囲を制限することができる。
【００１６】
さらに、外部端子接続部材１６の周囲に段差、すなわち窪み１７を設ける事によって、
搬送時などに慣性力により外部端子接続部材１６が窪み１７の範囲外へ動いてしまうことを防止することができる。したがって、外部端子接続部材１６の搭載後から半田付けまでに生じる振動や半田付けのためのリフロー装置内での搬送時の基板主面方向の慣性力による外部端子接続部材１６の移動を拘束し、位置ずれを防止することが可能となり、容易に外部端子接続部材１６の搭載位置を高精度化することができる。また搭載後からリフロー装置までの人手によるハンドリングにおいても、外部端子接続部材１６の位置ずれの心配が無く、作業性が大幅に上がる。
【００１７】
特許文献１の構造では、外部端子接続部材に相当する接触要素の形状が煩雑であり、外接触要素の加工が非常に困難であり、高コストとなる。これに対して、実施の形態１の構造では、絶縁基板２３の導電体１３をエッチングすることにより作製が可能であるので、エッチング加工は、マスクや加工費が非常に安価であり低コストである。また、数Ａから数百Ａという定格容量の広範な範囲において生産される電力用半導体装置１では、電力用半導体装置１自体のサイズも多種多様であり、特許文献１の構造では、接触要素の内径及び外形も多様となる。これに対して、実施の形態１の構造だと、導電体１３をエッチングするマスクを変更するだけで対応可能で有り、非常に安価である。さらに、導電体１３はエッチングにより加工されるため、１回のエッチング工程において、導電体１３のエッチングと同時に窪み１７の加工が可能となり、コストアップは全く無い。加工方法の例として、まず、窪み１７をハーフエッチし、その後、導電体１３をエッチングする。特許文献１の構造は、異なる外部端子接続部材１６の形状に対して、その都度数百万円という高価な金型を使用して接触要素のつばの部分を加工しなければならない特許文献１とは大きく異なる。
【００１８】
また、外部端子接続部材１６の搭載精度向上のためには、窪み１７を設けるという方法の他に、治具などによる方法がある。しかしながら、治具により±５０μｍの精度で外部端子接続部材１６を搭載するには次の課題がある。外部端子接続部材１６の高さは、電力用半導体装置１の外部との絶縁を確保するためには、低くすることはできない。外径が２ｍｍに対して、高さ５ｍｍという外部端子接続部材１６はアスペクト比が大きく、傾きやすい。わずかな傾きの影響で、外部端子接続部材１６の外壁と外部端子接続部材１６を外側から保持する治具の内壁とが接触した状態となり、この状態で半田付けされると、治具が外しにくくなるという問題がある。
【００１９】
さらに、大きな力で治具を外そうとした場合、絶縁基板２３や外部端子接続部材１６の半田付け部などにダメージを与える場合がある。治具による半田付けにより高精度を目指す場合、治具の加工が煩雑となり、コストが非常に高くなるという問題がある。また、治具を使用する場合、重い治具の取り外しにおいて、装置コストが高くなるという問題もある。したがって、高精度でかつ低コストに外部端子接続部材１６を半田付けする場合には、実施の形態１の構造が最も優れている。
【００２０】
窪み１７の形状は、図５に示した断面形状以外であってもよい。図７は、実施の形態１による外部端子接続部材の配置部の加工例を説明する図である。図７のように、エッチングファクターの影響で窪み１７の底面に丸み（Ｒ部）が形成される場合がある。この場合には、窪み１７の周辺部分において、図７の矢印３５の方向に窪み１７の周辺部分の導電体１３をプレスにより加圧することで、窪み１７の上部を図７のように底部よりも更に内側に変形させる。窪み１７の上部の内側に変形させた変形部１７ａが外部端子接続部材１６を押圧するので、外部端子接続部材１６を許容範囲内に位置決めすることが可能である。
【００２１】
さらに、図８に示す外部端子接続部材の配置部の上面図のように、窪み１７と深さが同じスリット２７を少なくとも１つ設けることで、次のような効果を発揮する。図８は、実
施の形態１による他の外部端子接続部材の配置部の上面図である。溶融した半田がスリット２７を介して窪み１７の外側に逃げることで、外部端子接続部材１６下の半田量の適正化が可能である。ディスペンサによる半田供給では、半田量に微小なばらつきが発生するため、目標値は、必要量よりもやや多めに設定せざるを得ない。その場合、供給過剰となった半田をスリット２７から窪み１７の外部に逃がすことで、外部端子接続部材１６及び窪み１７と半田との接合面積が一定となり、製造中の外部端子接続部材１６の接合強度が一定となり、設計が容易となる。また、樹脂封止時にスリット２７内に、モールド樹脂１１が流れ込むことで、電力用半導体装置１はアンカー効果による温度サイクルなどの信頼性が向上する。スリット２７の形状として、窪み１７から外方向に延びる幅が端部以外は同一である場合も考えられる。この場合は、半田を逃がすための効果は多少劣るものの、半田のボイド抜きの効果は発揮する。図８のようにスリット２７の外側を大きくする程、半田をスリット２７に逃がす力を大きくすることができ、製造中の外部端子接続部材１６と導電体１３との接合強度を一定にすることができる。
【００２２】
外部端子接続部材１６の材料は銅あるいは銅系の合金以外でも、ベア材あるいはめっきを施した後の表面に半田が濡れることが可能であれば、外部端子接続部材１６として用いることができる。外部端子接続部材内壁へ半田が濡れあがることで、外部端子接続部材とパターンとの接合面積が上がり、接続強度がアップするため、高信頼となる。また、外部端子接続部材１６の表面に半田が濡れる効果がない導電材料であっても、銀ペーストなどの導電性ペーストにおいて接着が可能なものであれば、外部端子接続部材１６として用いることができる。
【００２３】
前述した外部端子２１と外部端子接続部材１６との接続は、超音波による接続が可能である。実施の形態１の外部端子２１はＬ字型形状となっており、超音波ホーンを端子にしっかりと押し付けて超音波を発振することができるので、強固な接合が可能である。ＳｉＣなどの高温動作可能な素子を搭載した電力用半導体装置１においては、電力用半導体装置１全体が高温で動作するため、外部端子２１と外部端子接続部材１６との接続は、強い接合強度が必要である。実施の形態１の構造では、外部端子２１と外部端子接続部材１６との接続は超音波などの直接接合を用いることで、接合強度が強く、高信頼の接合を得ることができる。
【００２４】
半導体素子１４、１５は、シリコンウエハを基材とした一般的な素子でもよいが、本発明においては炭化珪素（ＳｉＣ）や窒化ガリウム（ＧａＮ）系材料、またはダイヤモンドといったシリコンと較べてバンドギャップが広い、いわゆるワイドバンドギャップ半導体材料を適用できる。デバイス種類としては、特に限定する必要はないが、ＩＧＢＴ（Insulated Gate Bipolar Transistor）以外にもＭＯＳＦＥＴ（Metal Oxide Semiconductor Field-Effect-Transistor）のようなスイッチング素子、やダイオードのような整流素子を搭載することができる。例えば、スイッチング素子や整流素子として機能する半導体素子１４、１５に、炭化珪素（ＳｉＣ）や窒化ガリウム（ＧａＮ）系材料又はダイヤモンドを用いた場合、従来から用いられてきたシリコン（Ｓｉ）で形成された素子よりも電力損失が低いため、電力用半導体装置の高効率化が可能となる。また、耐電圧性が高く、許容電流密度も高いため、電力用半導体装置１の小型化が可能となる。さらにワイドバンドギャップ半導体素子は、耐熱性が高いので、高温動作が可能であり、放熱フィンの小型化や、水冷部の空冷化も可能となるので、放熱フィンを備えた半導体装置モジュールの一層の小型化が可能になる。
【００２５】
以上のように実施の形態１の電力用半導体装置１によれば、半導体素子１４、１５と、半導体素子１４、１５が接続された導電体１３と、導電体１３に絶縁層２４を介して配置されたベース板２５と、導電体１３に接続された柱状の外部端子接続部材１６と、を備え、導電体１３は、絶縁層２４と逆側の面に窪み１７が形成され、外部端子接続部材１６を所定の許容範囲内に位置決めする配置部を有し、外部端子接続部材１６は、窪み１７が形成された配置部に搭載されたので、複雑な形状のへりを設けることなく外部端子接続部材１６を半導体素子１４、１５に接続された導電体に高い位置精度で接続でき、外部端子を電力用半導体装置の上面から接続でき、電力用半導体装置を小型にすることができる。
【００２６】
実施の形態２．
図９は、本発明の実施の形態２による電力用半導体装置の断面図である。図１０は実施の形態２による外部端子接続部材の斜視図であり、図１１は外部端子接続部材の断面図である。実施の形態２の電力用半導体装置１は、実施の形態１の電力用半導体装置１とは、外部端子接続部材が長軸方向に貫通した貫通孔４１を有する外部端子接続部材１８である点で異なる。
【００２７】
外部端子接続部材１８は、外壁と貫通孔４１の内面により形成された外周壁部を有する。外部端子接続部材１８の外周壁部の上下にはテーパー部２９が設けられている。テーパー部２９は、後述する外部端子の挿入時のガイドの役割を果たす他、外部端子の表面のめっきが過度に削れることを抑制する役割がある。また、外周壁部の上側と下側にテーパー部２９を付けることで、外部端子接続部材１８を絶縁基板２３上に供給する際に、外部端子接続部材１８の上下方向を識別することがないので、外部端子接続部材１８の供給を容易にでき、外部端子接続部材１８の上下方向を識別する場合にくらべて、タクトタイムが短くでき、製造コストを低くすることがきる。
【００２８】
外部端子接続部材１８は貫通孔４１を有するので、半田を用いずに接続するスナップフィット型の外部端子を貫通孔４１に挿入することにより、外部端子接続部材１８は外部端子１９と接続することができる。
【００２９】
円筒形状の外部端子接続部材１８と外部端子１９について詳しく説明する。電力用半導体装置１を作製した後に、外部端子接続部材１８の貫通孔４１内には、外部端子１９として、図１２に示すようなプレスフィット型の外部端子１９が挿入される。プレスフィット型の外部端子は、プレスフィット端子とも呼ばれる。図１２は、実施の形態２による外部端子の正面図及び側面図である。図１２（ａ）は正面図であり、図１２（ｂ）は側面図である。
【００３０】
プレスフィット型の外部端子１９は、内部接続部１９ａと外部接続部１９ｂを有する。内部接続部１９ａは、外部端子接続部材１８の貫通孔４１内に挿入される。外部接続部１９ｂは、プリント基板等のスルーホールへ挿入され、半田にて接続される。挿入後にニードルアイ形状の箇所である内部接続部１９ａが外部端子接続部材１８の内壁に対して反発力を働かせるような構造となっている。プレスフィット型の外部端子１９は、半田付けすることなく、ハンドプレスなどで簡単に挿入しプレスフィット型の外部端子１９と外部端子接続部材１８とを接続することができる。
【００３１】
このような構成とした理由を示す。外部端子接続部材を、貫通孔４１の形成された外部端子接続部材１８にすることで、プレスフィット端子などの外部端子１９の挿入が可能となる。プレスフィット端子などのソルダレス（半田を使わない）端子は、この端子と外部端子接続部材１８の位置精度が非常に重要である。なぜなら、外部端子接続部材１８の内壁に対して反発力を生じることで接触を維持する構造であるため、プレスフィット部である内部接続部１９ａの左右の圧接部は、それぞれが同等の荷重を外部端子接続部材１８の内壁に生じる必要がある。そのため、外部端子接続部材１８のほぼ中央に端子の中心軸がくるように、プレスフィット型の外部端子１９を外部端子接続部材１８の貫通孔４１に挿入する必要があり、そのために、外部端子接続部材１８の搭載では非常に厳しい精度が要求される。実施の形態２の構造では、窪み１７の内部に外部端子接続部材１８を固定する
ことができるため、半田付け前後における外部端子接続部材１８の位置ずれは非常に小さく、プレスフィット端子挿入後に、適正な反発力を生じることができる。実施の形態２の構造では、導電体１３の窪み１７に外部端子接続部材１８を固定することができるため、半田付け前後における外部端子接続部材１８の位置ずれは非常に小さく、プレスフィット型の外部端子１９の挿入後に、適正な反発力を生じることができる。
【００３２】
また、少なくとも外部端子接続部材１８の内壁にプリフラックスを塗布することで、次のような効果を発揮する。プリフラックスは、表面処理コーティングで、露出した銅表面やその他の基板表面が、部品搭載前に酸化してしまうことを防ぐものである。外部端子接続部材１８の内壁の酸化を抑えるため、プレスフィット型の外部端子１９の外部端子接続部材１８の内壁への反発力が少なくても、プレスフィット型の外部端子１９と外部端子接続部材１８の接触抵抗を低く保つことが可能である。
【００３３】
また、少なくとも外部端子接続部材１８の内壁に錫、金、ニッケルなどのめっきを施すことで次のような効果を発揮する。錫やニッケルの場合は、プレスフィット型の外部端子１９の挿入時に錫が削れて、外部端子接続部材１８の新生面とプレスフィット型の外部端子１９とが接触し、接触抵抗を低く抑えることができる。また、金めっきの場合は酸化しないため、金めっき自体は削れても削れなくても外部端子接続部材１８とプレスフィット型の外部端子１９の接触抵抗を低く抑えることができる。また、プレスフィット型の外部端子１９の圧接部と外部端子接続部材１８の内壁とが固相拡散接合されるため、低接触抵抗で高信頼な接続部を得ることができる。
【００３４】
また、外部端子接続部材１８の内壁のみに前記めっきを施し、外部端子接続部材１８の外壁はめっきを施さない構成において、次の効果を発揮する。外部端子接続部材１８の内壁にはプレスフィット型の外部端子１９を挿入して接続する際に、上述しためっきを施す効果により、銅あるいはめっきの新生面とプレスフィット型の外部端子１９が接触し、接触抵抗が低くなる。さらに、外部端子接続部材１８の外壁は、めっきが施さない銅ベアであるため、トランスファーモールド形成する際に、モールド樹脂との密着性が高くなるという効果がある。そのため、プレスフィット接続およびモールド樹脂界面が高信頼となり、結果として電力用半導体装置１全体が高信頼となる。
【００３５】
なお、プレスフィット型の外部端子１９として、内部接続部１９ａのみニードルアイ形状等のプレスフィット形状である例で説明したが、外部端子接続部材１８の外部接続部１９ｂもプレスフィット形状であっても構わない。図１３は、実施の形態２による他の外部端子の正面図及び側面図である。図１３（ａ）は正面図であり、図１３（ｂ）は側面図である。プレスフィット形状の外部接続部１９ｂは、ユーザーがプリント基板に挿入した際に、プリント基板のスルーホール内壁と接続するために形成される。これは、外部接続部１９ｂも半田を使用せずに接続したいという要求が高まっていることに対応するためである。一般に、電力用半導体装置１は熱容量が大きく、プリント基板に半田付けする際に大きな熱量が必要である。このため、半田付け時間が長くなったり、半田付け温度を高くしたりしなければならないので、プリント基板上のほかの部品などに影響を与える可能性がある。しかし、接続箇所に外部端子を挿入し接続するプレスフィットは、ハンドプレスなどで簡単に接続箇所に挿入が可能であり、半田付けによる上記影響を排除することができる。
【００３６】
また、外部端子１９としては、プレスフィット型の外部端子１９だけではなく、図１４に示すような角型の角ピンなど、挿入可能な端子であればよい。図１４は、実施の形態２による更に他の外部端子の斜視図である。この外部端子２２の場合でも、半田付けすることなく、外部端子２２を外部端子接続部材１８の貫通孔４１に挿入することにより、外部端子２２と外部端子接続部材１８とを接続することができる。
【００３７】
今まで、外部端子接続部材１８が長軸方向に貫通した貫通孔４１を有する例で説明したが、プレスフィット型の外部端子１９や挿入可能な外部端子２２を挿入する孔は貫通孔でなくてもよく、外部端子接続部材１８は、長軸方向の導電体１３に接続されない側に孔を有するものや、長軸方向の両側に孔を有するものでも構わない。
【００３８】
実施の形態２の電力用半導体装置１は、実施の形態１と同様に、特許文献１の接触要素のような複雑な形状のへりを設けることなく、外部端子接続部材１８を半導体素子１４、１５に接続された導電体１３に高い位置精度で接続でき、外部端子１９、２２を電力用半導体装置１の上面から接続でき、電力用半導体装置１を小型にすることができる。
【００３９】
実施の形態３．
図１５は、本発明の実施の形態３による電力用半導体装置の断面図である。図１６は、導電体における外部端子接続部材の配置部の断面図である。実施の形態３の電力用半導体装置１は、実施の形態２の電力用半導体装置１とは、導電体１３の配置部が突起部３０を有する形状である点で異なる。
【００４０】
貫通孔４１を有する外部端子接続部材１８の場合は、実施の形態１に示した導電体１３の配置部に窪み１７がなくても、突起部３０を有することで外部端子接続部材１８の内壁の変位を抑えることができる。突起部３０は、外部端子接続部材１８の内壁の内径と同じか０．１ｍｍ程度小さい外形の突起を有する。外部端子接続部材１８は、貫通孔４１が突起部３０に挿入されるように導電体１３に搭載される。突起部３０が外部端子接続部材１８の内壁に接触することにより、外部端子接続部材１８の内壁の移動を抑えるので、導電体１３上に外部端子接続部材１８を許容範囲内に位置決めすることができる。このような突起部３０を有する導電体１３は、導電体１３がリードフレームである場合に、プレス加工により簡単に作製が可能である。また、リードフレームに限らず絶縁層２４上に広範囲に形成した導電体層をエッチングする場合は、導電体１３における突起以外の箇所をハーフエッチすること（底面が残るようにエッチングを行うこと）により、突起部３０を有する導電体１３を形成することができる。
【００４１】
また、加工の影響により突起部３０の底面に若干の丸みが生じても、外部端子接続部材１８の内部にテーパー部２９がついていることで、外部端子接続部材１８は丸み（Ｒ部）を逃げるため、外部端子接続部材１８に傾きが生じることなく半田付けが可能である。
【００４２】
また、突起部３０の突起形状は、図１７に示すように、突起上部に突出部２８を有するものでもよい。図１７は導電体における他の外部端子接続部材の配置部の断面図である。突起部３０の上部に突出部２８を設けることで、外部端子接続部材１８を絶縁基板２３に搭載する際に、外部端子接続部材１８が水平方向に動こうとしたときに、突出部２８がそれを抑えることができる。このため、粘性を持つペースト半田だけでなく、ボール半田などが使用可能となり、様々な半田形態に対応が可能となる。
【００４３】
今まで、外部端子接続部材１８が長軸方向に貫通した貫通孔４１を有する例で説明したが、プレスフィット型の外部端子１９や挿入可能な外部端子２２を挿入する孔及び突起部３０に挿入する孔は貫通孔でなくてもよく、長軸方向の両側に孔を有するものでも構わない。
【００４４】
実施の形態３の電力用半導体装置１は、実施の形態１及び２と同様に、特許文献１の接触要素のような複雑な形状のへりを設けることなく、外部端子接続部材１８を半導体素子１４、１５に接続された導電体１３に高い位置精度で接続でき、外部端子１９、２２を電力用半導体装置１の上面から接続でき、電力用半導体装置１を小型にすることができる。
【００４５】
実施の形態４．
図１８は本発明の実施の形態４による絶縁基板の断面図であり、図１９は外部端子接続部材の配置部の断面拡大図である。絶縁基板２３の導電体１３には、外部端子接続部材１８の断面と同形状の溝、すなわち環状溝３１が形成されている。この環状溝３１は、導電体１３における外部端子接続部材１８の配置部である。環状溝３１の外径は、外部端子接続部材１８の外径よりもやや大きく形成されており、環状溝３１の内径は外部端子接続部材１８の内径よりもやや小さく形成されている。
【００４６】
環状溝３１を挟んで外側の導電体１３の高さと、内側の導電体１３の高さが同一になっている場合を考える。このような導電体１３の構造は、エッチングでもリードフレームのプレスでも可能である。
【００４７】
半田は、環状溝３１の内側に供給する構成である。このようにすることで、半田供給時に、メタルマスクを使用した半田印刷を容易に行うことができる。半田印刷とは、１００〜３００μｍ程度の金属板に半田塗布部に穴を開けたメタルマスクを用い、印刷機のスキージを使って半田を印刷することである。シリンジを用いたディスペンス方式などと比較して、半田印刷方式はタクトタイムが大幅に減少することが特徴である。ディスペンス方式では半田付け箇所ごとに半田を塗布するのに対して、半田印刷方式では、半田付け形状に穴の開いたマスクを用いて基板パターン上の全ての半田付け箇所に一括で半田を供給することが可能である。メタルマスクを用いるため、導電体１３の高さが同じである場合に最も容易に実施することができる。なお、環状溝３１を挟んで外側の導電体１３の高さと、内側の導電体１３の高さが同一になっていない場合にも、半田印刷方式は適用できる。
【００４８】
外部端子接続部材１８は、環状溝３１に配置され、半田付けが行われる。図２０は実施の形態４による外部端子接続部材の半田付け前の図であり、図２１は実施の形態４による外部端子接続部材の半田付け後の図である。図２０に示すように、導電体１３における環状溝３１に囲まれた内側部に半田２６を印刷する。このため、半田付け後に半田付けされるのは外部端子接続部材１８の内壁である。したがって、半田付け後は図２１に示すように、外部端子接続部材１８の底面には半田付けされない構造となる。本構造では、外部端子接続部材１８の底面に半田粒子が入り込まないため、半田粒子入り込みによる外部端子接続部材１８の傾きを抑制することができる。外部端子接続部材１８の内壁と環状溝３１の溝内壁に多少の隙間があっても、溶融した半田の表面張力により外部端子接続部材１８の底面に半田粒子が入り込むことはない。
【００４９】
また、環状溝３１を断面形状が図２２のようにテーパーがついているテーパー溝３２とすることで以下のような効果を発揮する。なお、テーパーについてはプレスにより加工することが望ましい。図２２は、実施の形態４による他の外部端子接続部材の配置部の断面拡大図である。
【００５０】
テーパーがガイドとなり、外部端子接続部材１８をずらして搭載した場合でも、下方向に微小な力をかければ、外部端子接続部材１８は適正位置へと移動するので、外部端子接続部材１８の搭載装置を高精度にしなくてもよい。外部端子接続部材１８をずらして搭載した場合でも、下方向に微小な力をかければ、外部端子接続部材１８は適正位置へと移動するので、半田付け後の位置は許容範囲内となり、外部端子接続部材１６を許容範囲内に位置決めすることが可能である。
【００５１】
例えば、外部端子接続部材１８を搭載装置等により搭載した後に、外部端子接続部材１８の上から加圧力、例えば、外部端子接続部材１８に対してした方向に均一に数十グラムくらいの力をかけたり、外部端子接続部材１８の内部に濡れあがる半田の濡れ力がかかったりすることで、外部端子接続部材１８が適正位置へと移動する。この効果を最も発揮するのは、外部端子接続部材１８の下部テーパー角度とテーパー溝３２のテーパー角度が同じで、かつ、溝の最も深いところの直径よりも外部端子接続部材１８の外周の直径が小さい場合である。この場合に、下方向に微小な力を均一に加えることで、外部端子接続部材１８の下部のテーパー部２９とテーパー溝３２の内周側テーパー（傾斜面）が広い面積で当接するように移動することができ、適正位置に移動する効果が高くなる。
【００５２】
また、外部端子接続部材１８の内部に濡れあがる半田の濡れ力がかかることで、外部端子接続部材１８が適正位置へと移動する。通常、半田の濡れ力により１００μｍ程度は外部端子接続部材１８が動く。その濡れ力の作用とテーパー溝３２のテーパーの作用がともに作用して、外部端子接続部材１８が適正位置へと移動する。特に外部端子接続部材１８の下部テーパー角度とテーパー溝３２のテーパー角度が同じときに大きく効果が得られる。
【００５３】
また、外部端子接続部材１８をラフに搭載し、下方向に力を与えないた場合でも、半田付け前に超音波振動を与えることで、外部端子接続部材１８はテーパー溝３２のガイドに沿って、適正位置へと移動する。特に、テーパー溝３２のテーパー角度と外部端子接続部材１８の下部テーパー角度が同じときに、超音波振動を加えた場合に適正位置に移動できる。なお、初期の搭載位置が、テーパー溝３２から外側に外れている場合は適正位置に移動できないので、少なくとも外部端子接続部材１８の下部がテーパー内に入り込むように外部端子接続部材１８を搭載する。
【００５４】
半田溶融中に超音波振動を与えることで、上記効果に加え、半田２６が外部端子接続部材１８の内壁へ均一に拡がることを補助する効果を発揮する。
【００５５】
さらに、テーパーを設けることで、図２３に示すように、外部端子接続部材１８の下に余裕空間４５が出きるため、半田２６が外部端子接続部材１８の下に入り込んだとしても、この入り込んだ半田２６は余裕空間４５に入り、外部端子接続部材１８に許容範囲を超えた傾きが生じること無く外部端子接続部材１８の半田付けが可能となる。図２３は、図２２の配置部における外部端子接続部材の半田付け前の図である。詳しく説明する。導電体１３に環状溝３１やテーパー溝３２が無い場合、外部端子接続部材１８と導電体１３の表面との隙間に半田が入り込むことがあり、その影響で外部端子接続部材が傾くことがある。例えば外部端子接続部材１８の左側のみに半田２６が入り込むことがあり、このような場合に外部端子接続部材１８は右側に傾く。しかしながら、テーパー溝３２を有する構成は、外部端子接続部材１８の下に余裕空間４５があるので、その余裕空間４５に半田が入り込こむことで、大量でない適正量の半田を使わないように制御されている場合に、外部端子接続部材１８が許容範囲を超えて傾かないようにすることができる。したがって、テーパー溝３２を有する構成は、プレスフィット型の外部端子１９を外部端子接続部材１８の貫通孔４１に所定の姿勢となるように挿入することが容易にできる。
【００５６】
さらに、外部端子接続部材１８の外側に位置するテーパー溝３２のテーパー部に、モールド樹脂１１が入り込むことで、導電体１３とモールド樹脂の密着性が上がる。外部端子接続部材１８と半田２６との接合部や、導電体１３と半田２６との接合部は、温度サイクルなどにおいて、線膨張係数のミスマッチにより応力集中する箇所であるが、モールド樹脂１１が、テーパー溝３２に入り込むことで、密着力が上がり、電力用半導体装置１は高信頼となる。
【００５７】
今まで、外部端子接続部材１８が長軸方向に貫通した貫通孔４１を有する例で説明したが、プレスフィット型の外部端子１９や挿入可能な外部端子２２を挿入する孔及び突起部３０に挿入する孔は貫通孔でなくてもよく、長軸方向の両側に孔を有するものでも構わな
い。
【００５８】
実施の形態４の電力用半導体装置１は、実施の形態１乃至３と同様に、特許文献１の接触要素のような複雑な形状のへりを設けることなく、外部端子接続部材１８を半導体素子１４、１５に接続された導電体１３に高い位置精度で接続でき、外部端子１９、２２を電力用半導体装置１の上面から接続でき、電力用半導体装置１を小型にすることができる。
【００５９】
なお、本発明は、矛盾のない範囲内において、各実施の形態の内容を自由に組み合わせたり、各実施の形態を適宜、変形、省略したりすることが可能である。
【符号の説明】
【００６０】
１…電力用半導体装置、１１…モールド樹脂、１３…導電体、１４…半導体素子、１５…半導体素子、１６…外部端子接続部材、１７…窪み、１８…外部端子接続部材、２４…絶縁層、２５…ベース板、２７…スリット、２８…突出部、２９…テーパー部、３０…突起部、３１…環状溝、３２…テーパー溝、４１…貫通孔。
【図１】
0005579148.tif 000002
【図２】
0005579148.tif 000003
【図３】
0005579148.tif 000004
【図４】
0005579148.tif 000005
【図５】
0005579148.tif 000006
【図６】
0005579148.tif 000007
【図７】
0005579148.tif 000008
【図８】
0005579148.tif 000009
【図９】
0005579148.tif 000010
【図１０】
0005579148.tif 000011
【図１１】
0005579148.tif 000012
【図１２】
0005579148.tif 000013
【図１３】
0005579148.tif 000014
【図１４】
0005579148.tif 000015
【図１５】
0005579148.tif 000016
【図１６】
0005579148.tif 000017
【図１７】
0005579148.tif 000018
【図１８】
0005579148.tif 000019
【図１９】
0005579148.tif 000020
【図２０】
0005579148.tif 000021
【図２１】
0005579148.tif 000022
【図２２】
0005579148.tif 000023
【図２３】
0005579148.tif 000024